(57)【要約】【課題】鉄骨躯体にＡＬＣパネルを取り付けて外壁とした既存の住宅に非自立構造の外構設置物を取り付ける際に、該外構設置物に作用する力を合理的に支持する。【解決手段】外構設置物の取付構造は、鉄骨躯体を構成する梁１１にＡＬＣパネル１２を取り付けた既存の住宅Ｂに非自立構造の外構設置物としてのバルコニーＡを取り付ける際に、躯体にジョイントピース２１，２５を接続すると共にバルコニーＡを構成する屋根梁或いは床梁５にインターフェース構造体を構成する上部横架材２２，下部横架材２７一体的に接続し、各横架材２２，２７をジョイントピース２１，２５に結合する。ジョイントピース２１は直接梁１１に接続されて、ジョイントピース２５はＡＬＣパネル１２に接触すると同時に嵩上げ部材２６を介して梁１１に接続されて、バルコニーＡの荷重，力を躯体に、ＡＬＣパネル１２の圧縮力として伝達する。【選択図】　　　　　　　図２
2004092139.tif 000002
【特許請求の範囲】
【請求項１】
鉄骨躯体に軽量気泡コンクリートパネルからなる外壁パネルを取り付けた既存の住宅に非自立構造の外構設置物を取り付ける構造であって、鉄骨躯体にジョイントピースを接続すると共に外構設置物にインターフェース構造体を一体的に接続し、前記インターフェース構造体をジョイントピースに結合したことを特徴とする外構設置物の取付構造。
【請求項２】
既存の住宅に於ける外壁パネルが存在しない位置に配置されたジョイントピースは、インターフェース構造体を結合する結合片と、鉄骨躯体に接続される接続片とを有して構成され、前記接続片を鉄骨躯体に接続すると共に結合片にインターフェース構造体を結合して外構設置物に作用する力を鉄骨躯体に伝達し得るように構成されていることを特徴とする請求項１に記載した外構設置物の取付構造。
【請求項３】
既存の住宅に於ける外壁パネルが存在する位置に配置されたジョイントピースはインターフェース構造体を結合する結合片と外壁パネルの表面に面接触する接触片と鉄骨躯体に固定する固定具を貫通させる取付片とを有して構成され、前記取付片及び外壁パネルを貫通させた固定具によってジョイントピースを鉄骨躯体に接続すると共に結合片にインターフェース構造体を結合して外構設置物に作用する力を、接触片の外壁パネルに対する押圧力と、固定具に対する引張力とに変換して支持し得るように構成されていることを特徴とする請求項１に記載した外構設置物の取付構造。
【発明の詳細な説明】
【０００１】
【発明の属する技術分野】
本発明は、軽量気泡コンクリートパネルからなる外壁パネルを取り付けた既存の住宅に、バルコニーや階段等の外構設置物、特に非自立性の外構設置物を取り付ける際の構造に関するものである。
【０００２】
【従来の技術】
既存の住宅をリフォームする場合、この住宅の外壁を利用してバルコニーや外階段、外廊下、或いは温室，物干し室等の外構設置物を取り付けることがある。特に、外壁を必須の荷重支持部材として利用するように構成された非自立構造の外構設置物、例えばバルコニーは、床面を構成する４辺の中１辺の両隅部に夫々脚を設け、これらの脚を外壁から離隔した側に配置して基部を接地させ、且つ脚の存在しない辺を直接外壁に沿わせ、該辺に配置された部材（梁）に一定のピッチ（例えば約４５０ｍｍピッチ）で釘やビスを打ち込んで梁を外壁に固定することで設置されている。
【０００３】
上記非自立構造の外構設置物を既存の住宅の外壁に固定する場合、該住宅が木造住宅である場合には、釘やビスを用いて外構設置物を外壁や下地に固定することで、該外構設置物の荷重や作用する力は木造住宅そのものに伝達されることとなる。この場合、構造上特別な問題を生じることなく、高い構造安全性を確保することが出来る。
【０００４】
既存の住宅が鉄骨躯体に軽量気泡コンクリートパネル（ＡＬＣパネル）を取り付けて構成した住宅である場合、外構設置物に於ける脚の存在しない辺に配置された梁を外壁に沿わせると共に該梁をＡＬＣパネルに対し一定のピッチ（例えば約４５０ｍｍピッチ）で配置されたフィッシャープラグを利用して固定している。
【０００５】
【発明が解決しようとする課題】
鉄骨躯体にＡＬＣパネルを取り付けて構成した既存の住宅をリフォームする際に、ＡＬＣパネルに、例えば４５０ｍｍピッチでフィッシャープラグを埋め込んで非自立構造の外構設置物を固定しようとした場合に幾つかの問題が生じている。
【０００６】
即ち、ＡＬＣパネルによって外壁を構成した既存の住宅では、ＡＬＣパネルは鉄骨躯体に対しロッキング工法を採用して取り付けられるのが一般的である。しかし、ＡＬＣパネルの外面側に外構設置物を構成する梁を沿わせて一定のピッチで配置したフィッシャープラグを利用して固定した場合、固定された梁によってＡＬＣパネルの動きが拘束されてしまうことから、該ＡＬＣパネルのロッキング作用が阻害されてしまうという問題が生じる。
【０００７】
またフィッシャープラグがＡＬＣパネルの厚さ内に埋め込まれるため、外構設置物の荷重や外構設置物に作用する力はフィッシャープラグを介してＡＬＣパネルに伝達される。しかし、ＡＬＣパネルが比較的脆い材質であることから、前記荷重や力によってＡＬＣパネルが破損することがあり、この場合、荷重や力が鉄骨躯体に確実に伝達されない虞があるという問題も生じる。
【０００８】
本発明の目的は、鉄骨躯体にＡＬＣパネルを取り付けて外壁として既存の住宅に非自立構造の外構設置物を取り付ける際に、該外構設置物に作用する力のうち住宅に作用する力を鉄骨躯体が合理的に支持し得る取付構造を提供することにある。
【０００９】
【課題を解決するための手段】
上記課題を解決するために本発明に係る外構設置物の取付構造は、鉄骨躯体に軽量気泡コンクリートパネル（ＡＬＣパネル）からなる外壁パネルを取り付けた既存の住宅に非自立構造の外構設置物を取り付ける構造であって、鉄骨躯体にジョイントピースを接続すると共に外構設置物にインターフェース構造体を一体的に接続し、前記インターフェース構造体をジョイントピースに結合したものである。
【００１０】
上記取付構造では、鉄骨躯体にＡＬＣパネルからなる外壁パネルを取り付けて構成した既存の住宅に、例えばバルコニーや外付階段、或いはサンルーム等の非自立構造の外構設置物を取り付ける際に、ジョイントピースとインターフェース構造体を用意し、ジョイントピースを所定のピッチで鉄骨躯体に接続し、インターフェース構造体に外構設置物を該外構設置物の取付基準に基づくピッチと数のビス等を用いて一体的に接合し、前記ジョイントピースにインターフェース構造体を所定の手段により結合することで、外構設置物を既存の住宅を構成する鉄骨躯体に取り付けることが出来る。
【００１１】
即ち、インターフェース構造体を外壁と見做して外構設置物を固定し、ジョイントピースを鉄骨躯体に接続し、該ジョイントピースにインターフェース構造体を結合することで、外構設置物の荷重や作用する力をインターフェース構造体，ジョイントピースを介して確実に鉄骨躯体に伝達することが出来る。このため、既存の住宅の外壁がＡＬＣパネルを利用している場合であっても、外構設置物の確実な取り付けを実現することが出来る。
【００１２】
インターフェース構造体は、予め外壁パネルとなるＡＬＣパネルに於けるボルトやビスを貫通させることが可能な位置を選択して配置されたジョイントピースに接続する機能と、ＡＬＣパネルに於けるボルトやビスを貫通させることが可能な位置であるか否かに関わらず外構設置物を接続する機能とを有している。
【００１３】
即ち、ＡＬＣパネルを中心として考慮したとき、ボルトやビスを貫通させることが可能な位置は鉄筋の配置位置やパネルの幅等の条件に規制されることになり、また外構設置物を中心として考慮したとき、該外構設置物の外壁に対する固定ピッチ（ボルトやビスの配置ピッチ）は建物に期待する負担重量、外構設置物に配置された梁部材の曲げ強度や曲げ剛性等の条件によって規定される。このため、両者の条件が一致しない場合、充分な固定を期待し得なくなる虞が生じる。
【００１４】
上記取付構造に於いて、既存の住宅に於ける外壁パネルが存在しない位置に配置されたジョイントピースは、インターフェース構造体を結合する結合片と、鉄骨躯体に接続される接続片とを有して構成され、前記接続片を鉄骨躯体に接続すると共に結合片にインターフェース構造体を結合して外構設置物に作用する力を鉄骨躯体に伝達し得るように構成されていることが好ましい。
【００１５】
この取付構造では、既存の住宅に於ける外壁パネルが存在しない位置、例えば庇部位に配置されたジョイントピースは、インターフェース構造体を結合する結合片と、鉄骨躯体に接続される接続片を有して構成され、前記接続片を鉄骨躯体を構成する梁や梁に取り付けた嵩上部材等に接続すると共に、結合片にインターフェース構造体を結合することで、外構設置物を取り付けると共に、インターフェース構造体を介して伝達された外構設置物の荷重や作用する力を鉄骨躯体に確実に伝達することが出来る。
【００１６】
また既存の住宅に於ける外壁パネルが存在する位置に配置されたジョイントピースはインターフェース構造体を結合する結合片と外壁パネルの表面に面接触する接触片と鉄骨躯体に固定する固定具を貫通させる取付片とを有して構成され、前記取付片及び外壁パネルを貫通させた固定具によってジョイントピースを鉄骨躯体に接続すると共に結合片にインターフェース構造体を結合して外構設置物に作用する力を、接触片の外壁パネルに対する押圧力と、固定具に対する引張力とに変換して支持し得るように構成されていることが好ましい。
【００１７】
上記ジョイントピースに於いて、接触片は外壁パネルの表面と面接触する機能を有し、取付片は固定具を貫通させる機能を有する。即ち、接触片と取付片は異なる機能を有する。しかし、接触片と取付片を構造的に厳密に分離する必要はなく、一つの片を共用することが可能である。そして、一つの片を共用した場合であっても、互いに他の機能に悪影響を及ぼすことなく、良好な状態で使用することが出来る。
【００１８】
この取付構造では、既存の住宅に於ける外壁パネルが存在する位置に配置されたジョイントピースが、インターフェース構造体を結合する結合片と、外壁パネルに面接触する接触片と、固定具を貫通させる取付片とを有するため、接触片を外壁パネルの表面に接触させ、取付片に固定具を貫通させると共に該固定具を外壁パネル及び鉄骨躯体を貫通させることで、ジョイントピースを鉄骨躯体に取り付けることが出来る。この状態では固定具は片持ち梁と同様の機能を有している。
【００１９】
上記の如くして鉄骨躯体に取り付けられたジョイントピースの結合片にインターフェース構造体を結合することで、外構設置物を既存の住宅に取り付けることが出来る。特に、外構設置物の荷重，作用する力はインターフェース構造体，ジョイントピース，固定具を介して鉄骨躯体に伝達されるが、この過程で固定具に撓みが生じたとき、ジョイントピースの接触片が外壁パネルの表面を押圧し該外壁パネルには圧縮力が作用する。従って、接触片の面積が充分に大きく、外構設置物の荷重，作用する力等に応じて外壁パネルに発生する圧縮応力をＡＬＣパネルの許容圧縮応力よりも充分に小さくすることで、前記荷重，力を外壁パネルが負担することが出来る。
【００２０】
ジョイントピースの接触片が外壁パネルを押圧して安定したとき、固定具には単純な引張力が作用することとなる。このため、固定具が片持ち梁として外構設置物の荷重，力を支持するのに必要な太さと比較して極めて細くすることが出来る。
【００２１】
【発明の実施の形態】
以下、上記取付構造の好ましい実施形態を説明する。本発明に係る外構設置物の取付構造は、鉄骨躯体（以下単に「躯体」という）にＡＬＣパネルからなる外壁パネルを取り付けて建築されている既存の住宅のリフォームを行うに際し、この住宅の外壁に非自立構造の外構設置物を取り付ける場合であっても、この既存の住宅が持つ特徴、即ち、外壁パネルをロッキング構造によって取り付けることで地震時に作用する水平力を吸収して外壁パネルが破壊することがないという特徴を維持し、且つ外構設置物を取り付けることによって作用する新たな荷重，力を確実に支持し得るように構成したものである。
【００２２】
このため、外構設置物と躯体とをジョイントピースとインターフェース構造体を利用して結合することで、外構設置物の建物に対する取付仕様を満足すると共に、外壁パネルのロッキング機能を維持し且つ外壁パネルに過大な荷重や力を作用させることなく躯体に伝達して確実に支持し得るように構成されている。
【００２３】
外壁に取り付けられる非自立性の外構設置物は、少なくとも荷重の一部を住宅に伝達して負担させるような構造を有するものであり、具体的な構成を限定するものではない。例えばこのような非自立性の外構設置物としては、バルコニーや外階段、外廊下、或いは温室，物干し室等があり、適宜選択的に採用されている。
【００２４】
上記非自立性の外構設置物は、温室や物干し室のように屋根を有するもの、或いはバルコニーや外階段或いは外廊下のように必ずしも屋根を有しないものがある。そして屋根を有する外構設置物は、床に対応する部位と屋根に対応する部位が夫々外壁に取り付けられるように構成されており、屋根を有しない外構設置物では床に対応する部位が外壁に取り付けられるように構成されている。外構設置物の外壁に固定される部位には長尺状に形成された部材（梁）が配置され、この梁が外壁に対向して配置される。
【００２５】
外構設置物の外壁に対する固定方式はメーカーによって異なり一義的に設定されるものではない。しかし、梁に一定のピッチで複数の釘やビスを打ち込むことで、固定し得るように構成されるのが一般的である。また釘等の打ち込みピッチは、４５０ｍｍ程度であるのが一般的である。
【００２６】
インターフェース構造体は、取り付けるべき外構設置物に構成された外壁に対する梁と略同様の長さを持った長尺状の部材によって構成されており、前記梁に沿わされ、予め外構設置物に設定された該外構設置物を安全に取り付けることが可能なピッチでビスを打ち込むことで、外構設置物に一体的に取り付けられる部材である。
【００２７】
従って、インターフェース構造体の形状や数は、取り付けるべき外構設置物の条件に応じて適宜設定される。例えば、外構設置物が屋根のないバルコニーである場合、該バルコニーの床を構成する床梁を取り付ければ良く、この場合インターフェース構造体は１本の横架材として構成される。またバルコニーが屋根を有する場合、インターフェース構造体は、屋根を構成する屋根梁に対応する横架材と床梁に対応する横架材と、両横架材を縦方向に接続する２本の縦材と、によって構成される。このように、インターフェース構造体としては、１本の横架材は必須であるが、これ以外の部材は必ずしも必要としない場合がある。
【００２８】
特に、インターフェース構造体と外構設置物とを一体的に結合するに当たって採用される結合方式は、予め外構設置物に設定された結合方式に依存する。このため、インターフェース構造体は目的の外構設置物が取付対象とする外壁を想定して形成されることが必要であり、且つ目的の外構設置物が想定している固定具を使用し得ることが必要である。
【００２９】
従って、インターフェース構造体は、外構設置物の外壁に対向する床梁や屋根梁の長さと略等しい長さを有する横架材と、両横架材の離隔距離に略等しい長さを有する縦材と、を有し、且つ使用する釘やビス等の長さよりも大きい厚さを有することが好ましい。このような材料として長尺状の形鋼を用いることが好ましい。
【００３０】
ジョイントピースは、インターフェース構造体を結合すると共に躯体に接続され、外構設置物の荷重や作用する力を躯体に伝達する機能を有する。このジョイントピースは、躯体に接続されることによって、ＡＬＣパネルのロッキング作用を阻害することなく、インターフェース構造体を介して伝達される外構設置物の荷重や該外構設置物に作用する力を躯体に伝達し、或いはＡＬＣパネルに伝達する機能を有する。
【００３１】
このため、ジョイントピースは目的の外構設置物の床梁，屋根梁に対して夫々ＡＬＣパネルのロッキング作用を保持し得るように設定された所定の間隔を持って２個〜３個配置されている。即ち、インターフェース構造体を構成する１本の横架材を、前記の如く配置されたジョイントピースを利用して外壁に取り付けることで、ＡＬＣパネルのロッキング作用を阻害することなく、外構設置物を取り付けることが可能である。
【００３２】
またジョイントピースは配置位置にＡＬＣパネルが存在するか否かに応じて異なる形状を持って形成される。即ち、外壁の上部には庇が形成されるのが一般的であるが、この庇に対応する外壁部位にはＡＬＣパネルが配置されないことがある。従って、外構設置物の屋根梁を外壁に取り付ける場合、ジョイントピースは外壁の表面に、或いは該表面の延長線上に配置されるインターフェース構造体（横架材）を結合して片持ち梁状に躯体に接続し得るような形状に形成される。
【００３３】
また外構設置物の床に対応する部位にはＡＬＣパネルが配置されるため、該部位に対応する床梁を外壁に取り付ける場合、ジョイントピースは、外壁の表面に配置されるインターフェース構造体をＡＬＣパネルを貫通して躯体に接続すると共に、ＡＬＣパネルを利用して荷重を支持し得るように構成される。
【００３４】
ＡＬＣパネルが存在しない位置に配置されるジョイントピースは、目的の住宅の躯体に接続される接続片と、インターフェース構造体を結合する結合片とを有して構成されている。接続片と結合片との間には躯体から外壁の表面までに相当する距離離隔している。このため、ＡＬＣパネルが存在しない位置のジョイントピースは、インターフェース構造体を片持ち梁状に支持する。
【００３５】
またＡＬＣパネルが存在する位置に配置されるジョイントピースは、インターフェース構造体を結合する結合片と、外壁パネルの表面に面接触する接触片と、固定具を貫通させる取付片とを有して構成されている。そして取付片及び外壁パネルを貫通させた固定具によってジョイントピースを鉄骨躯体に接続し、結合片にインターフェース構造体を結合することで、外構設置物の荷重と該外構設置物に作用する力を、接触片の外壁パネルに対する押圧力と、固定具に対する引張力とに変換して支持することが可能である。
【００３６】
ジョイントピースを躯体に固定する固定具としては特に限定するものではなく、ボルトやビス等の固定具を用いることが可能である。しかし、ワンサイドファスナーやタッピングビスであれば、一方向からの作業で固定し得るため、好ましく利用することが可能である。
【００３７】
次に、本発明に係る取付構造の好ましい実施例について図を用いて説明する。図１は非自立性の外構設置物の例として屋根付のバルコニーの構成を説明する図である。図２はバルコニーを庇の間に取り付ける際の取付構造を説明する図である。図３はバルコニーの屋根に対応するインターフェース構造体とジョイントピースの関係を説明する平面図である。図４はバルコニーの床に対応するインターフェース構造体とジョイントピースの関係を説明する平面図である。図５は図４の要部断面図である。図６はＡＬＣパネルが存在しない部位に配置されるジョイントピースを説明する斜視図である。図７は図５に示すジョイントピースと躯体の嵩上げ部材を説明する斜視図である。図８はバルコニーを取り付ける取付構造の第２実施例を説明する図である。図９は第２実施例に係る取付構造に用いるジョイントピースを説明する斜視図である。
【００３８】
先ず、図１により非自立性の外構設置物の例としてのバルコニーＡの構成について簡単に説明する。バルコニーＡは予め設定された幅と出幅とを有する床１と、床１の上部に配置された屋根２とを有しており、床１のＡＬＣパネル１２から離隔した辺の両隅に夫々脚３が設けられている。またバルコニーＡを構成するＡＬＣパネル１２側以外の３辺には夫々腰壁４が設けられている。更に、床１のＡＬＣパネル１２側の辺には床梁５が配置され、該床梁５が後述するインターフェース構造体，ジョイントピースを介して住宅Ｂの躯体（梁１１）に接続される。尚、床梁５の強度及び曲げ剛性が充分に高く構成することによって、インターフェース構造体として利用することも可能である。
【００３９】
上記バルコニーＡでは、床１，屋根２は住宅Ｂの外壁に設けた庇１３の間に配置されており、夫々床１は床梁５を介して、屋根２は図示しない屋根梁を介して躯体に接続される。そして、バルコニーＡの重量及び風や地震に伴って作用する力は、一部が２本の脚３に支持され、一部が床梁５及び屋根梁を介してＡＬＣパネル１２及び躯体に支持される。
【００４０】
尚、前述したように、非自立性の外構設置物としては、バルコニーＡに限定されるものではなく、他の各種機能を持った外構設置物があり、これらを何れも選択的に使用することが可能である。
【００４１】
次に、第１実施例に係る取付構造について図２〜図７により説明する。この第１実施例は、図１に示すバルコニーＡを外壁に設けた下階の庇１３と上階の庇１３の間に取り付けるものであり、該バルコニーＡの屋根梁を接続するためのジョイントピースはＡＬＣパネルが存在しない部位に配置され、且つ床梁５を接続するためのジョイントピースはＡＬＣパネル１２に接触して配置されたものである。
【００４２】
図２に示すように、住宅Ｂには階層毎に鉄骨躯体を構成する梁１１が配置されており、該梁１１に複数のＡＬＣパネル１２が取り付けられ、該ＡＬＣパネル１２によって外壁が構成されている。またバルコニーＡを取り付けるべき外壁には図示しない開口部が形成されており、該開口部の上部に庇１３が設けられている。
【００４３】
庇１３に対応する部分では、ＡＬＣパネル１２は配置されず、梁１１が軒下空間１４に露出した状態で構成されている。従って、バルコニーＡの屋根２を取り付けるべきジョイントピース２１は、ＡＬＣパネル１２の上端部分を通過して梁１１の下フランジ１１ａに接続されている。
【００４４】
ジョイントピース２１は水平方向に所定の間隔を持って２個〜３個が配置されており、これらのジョイントピース２１を連続させてインターフェース構造体を構成する上部横架材２２が配置されると共に、ジョイントピース２１の結合片２１ａに固定具２３によって接合されている（図３参照）。
【００４５】
また下階の庇１３は下階の上部に配置された梁１１の上フランジ１１ｂを基準として構成されており、ＡＬＣパネル１２も同様に梁１１の上フランジ１１ｂを基準として取り付けられている。従って、バルコニーＡの床１を取り付けるべきジョイントピース２５は、ＡＬＣパネル１２を介して梁１１の上フランジ１１ｂに固定した嵩上げ部材２６に接続されている。
【００４６】
図４，５に示すように、ジョイントピース２５は水平方向に所定の間隔を持って２個以上配置されており、これらのジョイントピース２５を連続させてインターフェース構造体を構成する下部横架材２７が配置されると共に、ジョイントピース２５の結合片２５ａに固定具２８によっって接合されている。
【００４７】
尚、図４に於いて、符号１５は開口部であり、本例では周囲には開口パネル１６が配置され、該開口パネル１６と下部横架材２７とが接続されている。
【００４８】
バルコニーＡの屋根２を住宅Ｂの躯体に接続するジョイントピース２１は、図６に示すように、上部横架材２２を接合するための結合片２１ａと、結合片２１ａを接続片２１ｃに連結させる連結片２１ｂと、躯体を構成する梁１１の下部フランジ１１ａに接続する接続片２１ｃと、接続片２１ｃの剛性を高める補強片２１ｄと、接続片２１ｃに形成されたボルト穴２１ｅと、を有して構成されている。
【００４９】
ジョイントピース２１を構成する接続片２１ｃの長さは、該接続片２１ｃを梁１１の下フランジ１１ａに載置すると共にボルト３０ａ，ナット３０ｂで固定したとき、連結片２１ｂがＡＬＣパネル１２の表面に接触し、或いはＡＬＣパネル１２の表面の延長線上に一致し得るような値を有している。
【００５０】
従って、上記ジョイントピース２１では、接続片２１ｃは一端が梁１１に固定されると共に他端に設けた結合片２１ａを介してバルコニーＡの屋根１の荷重や該屋根１に作用する力が伝達される。このため、接続片２１ｃは片持ち梁として機能し、結合片２１ａにインターフェース構造体を構成する上部横架材２２を結合すると共に該上部横架材２２にバルコニーＡの屋根梁を取り付けることによって、連結片２１ｂ側の端部にバルコニーＡを構成する屋根の荷重や力によって曲げ力が作用したとき、この力に対して対抗することが可能である。特に、接続片２１ｃに補強片２１ｄを設けることによって剛性を高めることで対抗し得るように構成されている。
【００５１】
上記の如く構成されたジョイントピース２１では、結合片２１ａに作用する荷重や力をＡＬＣパネル１２を介することなく、ジョイントピース２１自体で躯体を構成する梁１１に伝達することが可能である。
【００５２】
次に、バルコニーＡの床梁５を住宅Ｂの躯体に接続するジョイントピース２５及び嵩上げ部材２６の構成について図７により説明する。ジョイントピース２５はＡＬＣパネル１２が存在する部位に配置されるものであり、インターフェース構造体を構成する下部横架材２７を結合する結合片２５ａと、ＡＬＣパネル１２の表面に対して面接触する接触片２５ｂと、接触片２５ｂと共通に形成され固定具３１を介して躯体を構成する嵩上げ部材２６に取付られる取付片と、補強片２５ｃと、を有して構成されている。
【００５３】
ジョイントピース２５では、結合片２５ａと接触片２５ｂとの間に段差２５ｄが形成されるため、結合片２５ａにインターフェース構造体を構成する下部横架材２７を結合すると共に該下部横架材２７に床梁５を取り付けることによって、段差部２５ｄに曲げ力が作用するが、補強片２５ｃを設けることによって、前記力に対抗することが可能である。
【００５４】
ジョイントピース２５は下部に配置された梁１１の上フランジ１１ｂの天端を基準として設けた下階の庇１３の上部に配置されるため、バルコニーＡを設置するに際し、接触片２５ｂをＡＬＣパネル１２に於ける所定位置（水平方向及び高さ方向）に配置したとき、対向する位置に躯体が存在しない。このため、梁１１の上フランジ１１ｂに嵩上げ部材２６を設置し、該嵩上げ部材２６に接続するように構成している。
【００５５】
嵩上げ部材２６は、梁１１の上フランジ１１ｂに載置されて該上フランジ１１ｂに固定される固定片２６ａと、固定具３１が螺合することでジョイントピース２５を取り付ける取付片２６ｂと、補強片２６ｃと、固定片２６ａに設けたボルト穴２６ｄと、を有して構成されている。
【００５６】
従って、図５に示すように、梁１１の上フランジ１１ｂに嵩上げ部材２６を載置してボルト３０ａ，ナット３０ｂによって固定することで、取付片２６ｂをＡＬＣパネル１２の裏面側に起立させておくことが可能である。
【００５７】
そして所定位置に配置されたジョイントピース２５の接触片２５ｂに固定具３１を対向させて螺合し、接触片２５ｂ及びＡＬＣパネル１２を貫通させると共に嵩上げ部材２６の取付片２６ｂを貫通させることで、接触片２５ｂをＡＬＣパネル１２の表面に接触させた状態でジョイントピース２５を取り付けることが可能である。
【００５８】
そしてジョイントピース２５の結合片２５ａにインターフェース構造体を構成する下部横架材２７を結合すると共に、該下部横架材２７にバルコニーＡの床梁５を取り付けることで、該床梁５に作用する荷重や力をジョイントピース２５に伝達することが可能である。
【００５９】
床梁５に作用する荷重や力がジョイントピース２５に伝達されたとき、初期状態では固定具３１が片持ち梁として機能し、該固定具３１に撓みが発生する。この撓みの発生に伴って接触片２５ｂがＡＬＣパネル１２の表面に圧接して接触圧が上昇し、ジョイントピース２５に作用する荷重，力と接触片２５ｂに作用する接触面圧が調和したとき安定し、固定具３１の撓みが定常状態となり、該固定具３１には曲げ力が作用することなく引張力のみが作用し、ＡＬＣパネル１２には圧縮力が作用する。
【００６０】
例えば、ＡＬＣパネル１２の負担を考慮することなく、片持ち梁の作用によってジョイントピース２５を支持する場合、固定具或いはボルトとして太さが約１３ｍｍ必要であった場合、ＡＬＣパネル１２の負担を考慮することで、太さが約６ｍｍの固定具３１を用いることで充分な安全性を発揮することが可能である。
【００６１】
上記ジョイントピース２１，２５を用いて、鉄骨躯体とＡＬＣパネル１２からなる外壁を有する既存の住宅ＢにバルコニーＡを取り付けるリフォームを行う場合の手順について簡単に説明する。
【００６２】
先ず、バルコニーＡの外壁に沿った寸法（長さ）及び重量に応じて、ジョイントピース２１，２５の数と位置を決定する。
【００６３】
次いで、これらのジョイントピース２１，２５を躯体に取り付ける。ジョイントピース２１を上部の梁１１の下フランジ１１ａに取り付ける場合、庇１３の軒天を撤去すると共に空間１４に露出した梁１１の下フランジ１１ａにジョイントピース２１をボルト３０ａ，ナット３０ｂによって取り付ける。
【００６４】
また下部の梁１１にジョイントピース２５を取り付ける場合、予め内壁の一部を撤去して梁１１を露出させ、該梁１１の予め設定された位置に嵩上げ部材２６をボルト３０ａ，ナット３０ｂによって取り付ける。その後、ＡＬＣパネル１２の表面側にジョイントピース２５を対向させ、固定具３１をＡＬＣパネル１２を貫通させて嵩上げ部材２６に取り付ける。
【００６５】
上記の如くして屋根２に対応する上部に２個〜３個のジョイントピース２１を配置すると共に床１に対応する下部に２個以上のジョイントピース２５を配置し、ジョイントピース２１にビス２３によって上部横架材２２を、ジョイントピース２５に固定具２８によって下部横架材２５を夫々結合する。更に、バルコニーＡに設定された施工仕様に基づいて、上部横架材２２に屋根２の屋根梁を所定のピッチ（例えば４５０ｍｍピッチ）で配置したビス等によって、下部横架材２７に床梁５を前記と同様のピッチで配置したビス等によって夫々取り付ける。
【００６６】
上記手順を経ることで、バルコニーＡが既存の住宅Ｂの躯体を構成する梁１１に直接、或いは嵩上げ部材２６を介して接続され、バルコニーＡの荷重，バルコニーＡに作用する力は、ジョイントピース２１を介して躯体に直接伝達され、或いはジョイントピース２５を介してＡＬＣパネル１２及び躯体に伝達されて支持される。
【００６７】
上記取付構造では、バルコニーＡを構成する屋根梁や床梁５が直接ＡＬＣパネル１２に取り付けられることがなく、従って、屋根梁や床梁５を取り付ける際のビス等の配置によってＡＬＣパネル１２のロッキング作用に影響を与えることがない。特に、外壁に取り付けられるジョイントピース２５の数が２個〜３個であり、且つＡＬＣパネル１２を貫通する固定具の径が細いため、ＡＬＣパネルに作用する側圧が小さい、このため、ＡＬＣパネル１２のロッキング作用を妨害することなく、高いロッキング作用を発揮することが可能である。
【００６８】
また外壁がＡＬＣパネル１２によって構成されているにも関わらず、ジョイントピース２１，２５は躯体を構成する梁１１に接続されるため、ＡＬＣパネル１２に高い集中荷重が作用することがなく、安定した支持を実現することが可能である。
【００６９】
次に、第２実施例に係る取付構造について図８，図９により説明する。尚、前述の実施例と同一の部分及び同一の機能を有する部分には同一の符号を付して説明を省略する。
【００７０】
図に於いて、バルコニーＡの屋根梁を取り付けるためのジョイントピース３５及び床梁５を取り付けるためのジョイントピース３６は、夫々ＡＬＣパネル１２の表面に面接触する接触片３５ａ，３６ａを有しており、上部横架材３７、下部横架材３８を取り付けたとき、これらの横架材３７，３８を介して伝達される荷重，力をＡＬＣパネル１２に圧縮力として伝達して支持し得るように構成されている。即ち、ジョイントピース３５，３６は、前述したジョイントピース２５と同様の機能と作用を有している。
【００７１】
ジョイントピース３５は、上部横架材３７を結合するための結合片３５ａと、ＡＬＣパネル１２に面接触する接触片３５ｂと、接触片３５ｂと共通に形成され固定具３１が貫通される取付片とを有して構成されている。またジョイントピース３６は、下部横架材３８を結合するための結合片３６ａと、ＡＬＣパネル１２に面接触する接触片３６ｂと、接触片３６ｂと共通に形成され固定具３１が貫通される取付片と、結合片３６ａを補強する補強片３６ｃとを有して構成されている。
【００７２】
躯体を構成する梁１１の下フランジ１１ａには、ＡＬＣパネル１２の裏面と当接して位置を規制し、或いは固定金物４０によって固定するための長尺状の取付部材４１が取り付けられており、本実施例では、各ジョイントピース３５，３６を固定具３１を介して前記取付部材４１に取り付けている。
【００７３】
上記の如く構成されたジョイントピース３５，３６及び横架材３７，３８を用いてバルコニーＡを取り付けた場合であっても、該バルコニーＡの荷重，力は固定具３１を介して躯体を構成する取付部材４１に伝達され、躯体及びＡＬＣパネル１２によって支持される。
【００７４】
【発明の効果】
以上詳細に説明したように本発明に係る取付構造では、躯体にＡＬＣパネルからなる外壁パネルを取り付けて構成した既存の住宅に、非自立構造の外構設置物を取り付ける際に、ジョイントピースとインターフェース構造体を用意し、ジョイントピースを所定のピッチで躯体に接続し、インターフェース構造体に外構設置物を一体的に接合し、前記ジョイントピースにインターフェース構造体を結合することで、外構設置物を既存の住宅を構成する鉄骨躯体に取り付けることが出来る。このため、外構設置物の荷重や作用する力をインターフェース構造体，ジョイントピースを介して確実に鉄骨躯体に伝達することが出来、既存の住宅の外壁がＡＬＣパネルを利用している場合であっても、外構設置物の確実な取り付けを実現することが出来る。
【００７５】
また既存の住宅に於ける外壁パネルが存在しない位置に配置されるジョイントピースに、結合片と、接続片とを設けることで、接続片を鉄骨躯体に接続すると共に結合片にインターフェース構造体を結合して外構設置物に作用する力を鉄骨躯体に伝達することが出来る。
【００７６】
また既存の住宅に於ける外壁パネルが存在する位置に配置されたジョイントピースに、結合片と、外壁パネルの表面に面接触する接触片と、固定具を貫通させる取付片とを設けることで、接触片を外壁パネルの表面に接触させ、取付片に固定具を貫通させると共に該固定具を外壁パネル及び鉄骨躯体を貫通させることで、ジョイントピースを鉄骨躯体に取り付けることが出来る。
【００７７】
特に、外構設置物の荷重，作用する力はインターフェース構造体，ジョイントピース，固定具を介して鉄骨躯体に伝達され、同時に接触片が外壁パネルの表面を押圧して圧縮力を作用させることで、外壁パネルによって荷重，力を負担することが出来る。このため、固定具が片持ち梁として外構設置物の荷重，力を支持するのに必要な太さと比較して極めて細くすることが出来る。
【００７８】
特に、本発明に係る取付構造は、建物が工業化住宅である場合に極めて有効である。即ち、工業化住宅では、構造はモジュール化され、且つ躯体をはじめとする構成部材及び各部品類が規格化されているため、インターフェース構造体やジョインピースを容易に規格化することが可能であり、外構設置物を設置する際の標準的な部品として提供することが出来る。
【００７９】
また工業化住宅では、構造計算上、力の加わり方や解析法が統一化されているため、如何なる外構設置物を設置する場合であっても、個々の設計を極めて容易に実施することが出来る。
【図面の簡単な説明】
【図１】非自立性の外構設置物の例として屋根付のバルコニーの構成を説明する図である。
【図２】バルコニーを庇の間に取り付ける際の取付構造を説明する図である。
【図３】バルコニーの屋根に対応するインターフェース構造体とジョイントピースの関係を説明する平面図である。
【図４】バルコニーの床に対応するインターフェース構造体とジョイントピースの関係を説明する平面図である。
【図５】図４の要部断面図である。
【図６】ＡＬＣパネルが存在しない部位に配置されるジョイントピースを説明する斜視図である。
【図７】図５に示すジョイントピースと躯体の嵩上げ部材を説明する斜視図である。
【図８】バルコニーを取り付ける取付構造の第２実施例を説明する図である。
【図９】第２実施例に係る取付構造に用いるジョイントピースを説明する斜視図である。
【符号の説明】
Ａ　　　　　　　　　　　　　　バルコニー
Ｂ　　　　　　　　　　　　　　住宅
１　　　　　　　　　　　　　　床
２　　　　　　　　　　　　　　屋根
３　　　　　　　　　　　　　　脚
４　　　　　　　　　　　　　　腰壁
５　　　　　　　　　　　　　　床梁
１１　　　　　　　　　　　　　　梁
１１ａ　　　　　　　　　　　　　下フランジ
１１ｂ　　　　　　　　　　　　　上フランジ
１２　　　　　　　　　　　　　　ＡＬＣパネル
１３　　　　　　　　　　　　　　庇
１４　　　　　　　　　　　　　　軒下空間
１５　　　　　　　　　　　　　　開口部
１６　　　　　　　　　　　　　　開口パネル
２１　　　　　　　　　　　　　　ジョイントピース
２１ａ　　　　　　　　　　　　　結合片
２１ｂ　　　　　　　　　　　　　連結片
２１ｃ　　　　　　　　　　　　　接続片
２１ｄ　　　　　　　　　　　　　補強片
２１ｅ　　　　　　　　　　　　　ボルト穴
２２，３７　　　　　　　　　　　　上部横架材
２３，２８，３１　　　　　　　　　　固定具
２５，３５，３６　　　　　　　　　　ジョイントピース
２５ａ，３５ａ，３６ａ　　　　　　　結合片
２５ｂ，３５ｂ，３６ｂ　　　　　　　接触片
２５ｃ，３６ｃ　　　　　　　　　　補強片
２６　　　　　　　　　　　　　　嵩上げ部材
２６ａ　　　　　　　　　　　　　固定片
２６ｂ　　　　　　　　　　　　　取付片
２６ｃ　　　　　　　　　　　　　補強片
２６ｄ　　　　　　　　　　　　　ボルト穴
２７，３８　　　　　　　　　　　　下部横架材
３０ａ　　　　　　　　　　　　　ボルト
３０ｂ　　　　　　　　　　　　　ナット
４０　　　　　　　　　　　　　　固定金物
４１　　　　　　　　　　　　　　取付部材
【図１】
2004092139.tif 000003
【図２】
2004092139.tif 000004
【図３】
2004092139.tif 000005
【図４】
2004092139.tif 000006
【図５】
2004092139.tif 000007
【図６】
2004092139.tif 000008
【図７】
2004092139.tif 000009
【図８】
2004092139.tif 000010
【図９】
2004092139.tif 000011